(57)【特許請求の範囲】
【請求項１】
アクセサリポートを備えた蓋とベース部分とドレイン開口とを有するキャニスタのための液体廃棄物の処理及びキャニスタのフラッシュ洗浄システムであって、
（ａ）キャニスタの少なくとも下方部分と同キャニスタ内の廃棄液体内容物とを収容するための容器手段を含むキャビネットと、
（ｂ）前記ドレイン開口と組み合わせられ且つ各々同ドレイン開口を開き或いは閉じるための開口位置と閉止位置とを有するドレインバルブ手段と、
（ｃ）前記ドレインバルブを開かせるためのドレインバルブ起動手段と、
（ｄ）前記アクセサリポート内に選択的に収納され、入口ポートを備えた上端部と、放出オリフィスを備えた下端部と、前記入口ポートと前記放出オリフィスとの間に延びているジェット通路と、を含み、前記放出オリフィスが前記キャニスタ内に向けて配置されている射出ジェットと、
（ｅ）プランジャアセンブリと、
を含み、
（ｆ）前記プランジャアセンブリは、
前記ドレインバルブ手段を含むストッパと、
前記ストッパに結合された下端と上端とを有し、前記ドレインバルブ起動手段を含む、プランジャロッドと、
を有しており、
（ｇ）前記プランジャロッドの上端は、前記ドレインバルブ手段が閉止状態にあるときに、前記キャニスタの蓋のアクセサリポート内に位置決めされ、且つ、前記ドレインバルブ手段を開かせるために前記射出ジェットと係合可能である、ようになされている、システム。
【請求項２】
請求項１に記載のシステムであって、
（ａ）前記キャビネットが、キャニスタを受け入れるためのシンクを有し、同シンクは前記容器手段を含むサブシンクを有する、システム。
【請求項３】
請求項１に記載のシステムであって、
（ａ）前記キャニスタのベース部分が、同キャニスタの内側から窪んでいる形状を有し且つその中に前記ドレイン開口を含んでいる、システム。
【請求項４】
アクセサリポートを備えた蓋とベース部分とドレイン開口とを有するキャニスタのための液体廃棄物の処理及びキャニスタのフラッシュ洗浄システムであって、
（ａ）キャニスタの少なくとも下方部分と同キャニスタ内の廃棄液体内容物とを収容するための容器手段を含むキャビネットと、
（ｂ）前記ドレイン開口と組み合わせられ且つ各々同ドレイン開口を開き或いは閉じるための開口位置と閉止位置とを有するドレインバルブ手段と、
（ｃ）前記ドレインバルブを開かせるためのドレインバルブ起動手段と、
（ｄ）前記アクセサリポート内に選択的に収納され、入口ポートを備えた上端部と、放出オリフィスを備えた下端部と、前記入口ポートと前記放出オリフィスとの間に延びているジェット通路と、を含み、前記放出オリフィスが前記キャニスタ内に向けて配置されている射出ジェットと、
（ｅ）プランジャアセンブリと、
を含み、
（ｆ）前記プランジャアセンブリは、
前記ドレインバルブ手段を含むストッパと、
前記ストッパに結合された下端と上端とを有し、前記ドレインバルブ起動手段を含む、プランジャロッドと、
を有しており、
（ｇ）前記プランジャロッドの上端は、前記ドレインバルブ手段が閉止状態にあるときに、前記キャニスタの蓋のアクセサリポート内に位置決めされ、且つ、前記ドレインバルブ手段を開かせるために前記射出ジェットと係合可能である、ようになされており、
（ｈ）前記キャビネットは前記キャニスタを収容するためのシンクを有し、同シンクは前記容器手段を含むサブシンクを有し、
（ｉ）前記シンクはシンク床を有し、
（ｊ）前記サブシンクは、前記シンク床とサブシンクの底部において開口している口部とを有し、
（ｋ）ドレインが前記サブシンクの底部と連通している、システム。
【請求項５】
請求項４に記載のシステムであって、
（ａ）前記サブシンクが、概して円筒形状を有し且つ前記キャニスタのベース部分が前記サブシンクの底部の上方に空間を隔てて配置されるような相対関係で前記サブシンクの口部において前記キャニスタと係合している、システム。
【請求項６】
請求項４に記載のシステムであって、
（ａ）前記シンクのドレインと組み合わせられたドレインラインジェット手段と、
（ｂ）前記ドレインラインジェット手段に塊溶解液を供給するために前記ドレインラインジェット手段に接続された塊溶解液源と、を含むシステム。
【請求項７】
アクセサリポートを備えた蓋とベース部分とドレイン開口とを有するキャニスタのための液体廃棄物の処理及びキャニスタのフラッシュ洗浄システムであって、
（ａ）キャニスタの少なくとも下方部分と同キャニスタ内の廃棄液体内容物とを収容するための容器手段を含むキャビネットと、
（ｂ）前記ドレイン開口と組み合わせられ且つ各々同ドレイン開口を開き或いは閉じるための開口位置と閉止位置とを有するドレインバルブ手段と、
（ｃ）前記ドレインバルブを開かせるためのドレインバルブ起動手段と、
（ｄ）前記アクセサリポート内に選択的に収納されている射出ジェットにして、
（ｉ）上端及び下端を有する本体と、
（ii）前記上端に設けられた水入口ポートと、
（iii）前記上端に設けられた洗浄溶液入口ポートと、
（iv）前記下端に設けられた放出オリフィスにして前記キャニスタに向けて配置されている放出オリフィスと、
（ｖ）前記水入口ポートから前記放出オリフィスまで延びているジェット通路と、
（vi）前記洗浄溶液入口ポートから前記ジェット通路まで延びていて、同ジェット通路との交差部分を形成している洗浄溶液通路と、
を有する射出ジェットと、
（ｅ）プランジャアセンブリと、
を含み、
（ｆ）前記プランジャアセンブリは、
前記ドレインバルブ手段を含むストッパと、
前記ストッパに結合された下端と上端とを有し、前記ドレインバルブ起動手段を含む、プランジャロッドと、
を有しており、
（ｇ）前記プランジャロッドの上端は、前記ドレインバルブ手段が閉止状態にあるときに、前記キャニスタの蓋のアクセサリポート内に位置決めされ、且つ、前記ドレインバルブ手段を開かせるために前記射出ジェットと係合可能である、ようになされている、
システム。
【請求項８】
請求項７に記載のシステムであって、
（ａ）前記希釈された洗浄溶液を前記射出ジェットへと圧送するポンプ手段を含む、システム。
【請求項９】
請求項８に記載のシステムであって、
（ａ）前記洗浄溶液が、ベンチュリ作用により前記ジェット通路内へと汲み出される、システム。
【請求項１０】
アクセサリポートを備えた蓋とベース部分とドレイン開口とを有するキャニスタのための液体廃棄物の処理及びキャニスタのフラッシュ洗浄システムであって、
（ａ）キャニスタの少なくとも下方部分と同キャニスタ内の廃棄液体内容物とを収容するための容器手段を含むキャビネットと、
（ｂ）前記ドレイン開口と組み合わせられ且つ各々同ドレイン開口を開き或いは閉じるための開口位置と閉止位置とを有するドレインバルブ手段と、
（ｃ）前記ドレインバルブを開かせるためのドレインバルブ起動手段と、
（ｄ）前記アクセサリポート内に選択的に収納され、入口ポートを備えた上端部と、放出オリフィスを備えた下端部と、前記入口ポートと前記放出オリフィスとの間に延びているジェット通路と、を含み、前記放出オリフィスが前記キャニスタ内に向けて配置されている射出ジェットと、
（ｅ）プランジャアセンブリと、
を含み、
（ｆ）前記プランジャアセンブリは、
前記ドレインバルブ手段を含むストッパと、
前記ストッパに結合された下端と上端とを有し、前記ドレインバルブ起動手段を含む、プランジャロッドと、
を有しており、
（ｇ）前記プランジャロッドの上端は、前記ドレインバルブ手段が閉止状態にあるときに、前記キャニスタの蓋のアクセサリポート内に位置決めされ、且つ、前記ドレインバルブ手段を開かせるために前記射出ジェットと係合可能である、ようになされており、
（ｈ）所定の継続期間を含むフラッシュサイクルのために、水を、前記射出ジェットの水入口ポートへ供給するための手段を含む制御システムと、
（ｉ）前記ドレインバルブ手段の開口の後所定の遅延時間間隔だけ、前記フラッシュサイクルの開始を遅れさせる手段と、
を含むシステム。
【請求項１１】
請求項１０に記載のシステムであって、
（ａ）前記キャビネットが、前記シンクを露出させる開口位置と同シンクを封鎖する閉止位置とを有する蓋を備え、
（ｂ）前記制御システムが前記蓋に接続されていて、前記蓋の開口位置又は閉止位置に応答して当該システムの動作を制御するようになされたシステム。
【請求項１２】
アクセサリポートを備えた蓋と、ドレイン開口を備えたベース部分と、前記キャニスタの蓋及びキャニスタのベース部分に結合されたキャニスタの側壁とを有するキャニスタから、液体廃棄物を排出する方法であって、
ａ）キャニスタに、ドレイン開口を閉じるドレインバルブを設ける段階と、
ｂ）ドレインバルブを開かせる段階と、
ｃ）キャニスタ内の廃棄液体内容物を排出させる段階と、
ｄ）キャニスタをフラッシュ洗浄する段階と、
ｅ）キャニスタ内容物を排出する前記段階が開始された後所定時間だけ、キャニスタをフラッシュ洗浄する前記段階を遅延させる段階と、
の各段階を含み、
ｆ）水供給源を設ける段階と、
ｇ）射出ジェットと放出オリフィスとに、水入口ポートを設ける段階と、
ｈ）水入口ラインを設ける段階と、
ｉ）前記水入口ラインを水供給源及び射出ジェットの水入口ポートに接続する段階と、
ｊ）射出ジェットをキャニスタのアクセサリポート内に挿入する段階と、
ｋ）前記水供給源からの水の流れを、前記水ライン及び前記射出ジェットを介して、前記放出オリフィスから前記キャニスタ内へと供給する段階と、
の各段階をさらに含み、
ｌ）ドレインバルブに、ドレイン開口内に位置決めされたストッパを設け、同ドレインバルブが閉じた状態とする段階と、
ｍ）ストッパに結合された下端とドレインバルブが閉じた状態でアクセサリポート内に位置決めされた上端とを有するプランジャロッドに、閉じたドレインバルブを設ける段階と、
ｎ）前記射出ジェットが前記アクセサリポート内に挿入されたときに、前記ロッドの上端を前記射出ジェットに係合させ、前記ロッドを下方に押し込み、前記ストッパを前記ドレイン開口から離脱させる段階と、
の各段階を更に含む方法。
【請求項１３】
請求項１２に記載の方法であって、
ａ）キャビネットに容器を設ける段階と、
ｂ）キャニスタの少なくとも下方部分を前記容器内に配置する段階と、
ｃ）キャニスタ内の廃棄液体内容物を前記容器内に排出させる段階と、
の各段階を更に含む方法。
【請求項１４】
液体廃棄物処理及びキャニスタフラッシュ洗浄システムと共に使用可能なキャニスタであって、前記フラッシュ洗浄システムは、フラッシュ洗浄ジェットと、サブシンクを含むキャビネットとを含む、キャニスタにおいて、
（ａ）前記サブシンクに挿入可能な閉じたボトム部分を備えた容器と、
（ｂ）前記容器のトップ部分を覆う態様で前記容器に付属するリッドであって、前記フラッシュ洗浄ジェットに対応する大きさのアクセサリポートを含むリッドと、
（ｃ）前記容器の前記ボトム部分にドレインを開け、それによって、前記容器の排水をするように動作可能なプランジャロッドと、
を備えていることを特徴とするキャニスタ。
【請求項１５】
液体廃棄物処理及びキャニスタフラッシュ洗浄システムと共に使用可能であるキャニスタであって、前記フラッシュ洗浄システムは、加圧された洗浄溶液源とサブシンクを含むキャビネットとを含む、キャニスタにおいて、
（ａ）開いたトップと前記サブシンクに挿入可能な閉じたボトム部分とを備えており、ドレイン開口が前記閉じたボトムに形成され、更に、前記開いたトップから外向きに延長する周辺フランジを含む容器と、
（ｂ）前記開いたトップを覆う態様で前記容器の前記開いたトップに取り外し可能に付着可能なリッドであって、フラッシュ洗浄ジェットに対応するサイズのアクセサリポートを含み、前記容器上の周辺フランジと一致する形状及びサイズである外向きに延長する周辺レシーバ部分を有しており、それによって、前記アクセサリポートは、このリッドが前記容器に付着されるときに前記ドレイン開口と位置合わせされる、リッドと、
（ｃ）前記容器のドレイン開口に位置決めされたストッパと、
（ｄ）前記容器の内部に位置決めされ、前記ストッパと接触する第１の端部と前記アクセサリポートの中に上向きに延長する第２の端部とを有するプランジャロッドであり、下向きに強制されるように前記アクセサリポートの中に挿入されるときには前記フラッシュ洗浄ジェットアダプタによって係合可能であり、よって、前記フラッシュ洗浄ジェットによって下向きに強制されるときには前記ストッパを前記ドレイン開口の外に強制する、プランジャロッドと、
を備えていることを特徴とするキャニスタ。
【請求項１６】
請求項１５記載のキャニスタにおいて、
（ａ）前記容器の周辺フランジに形成されたスロットと、
（ｂ）前記リッドの周辺レシーバ部分に形成されたタブであって、前記リッドが前記容器上で正確に向き付けられるときに前記スロットと係合するように位置決めされているタブと、
を更に備えていることを特徴とするキャニスタ。
【請求項１７】
請求項１５記載のキャニスタにおいて、
（ａ）液体通路とジェットポートとを含むフラッシュ洗浄ジェットであって、縦方向のスロットが形成されている伸長したボディを含むフラッシュ洗浄ジェットを更に備えており、
（ｂ）前記リッドにおける前記アクセサリポートは、開いたトップを有し、更に、前記アクセサリポートの中に内向きに延長するアクセサリタブを含んでおり、前記フラッシュ洗浄ジェットが前記アクセサリポートの中に挿入され、それによって、前記ジェットポートが、洗浄ジェットを前記容器の中に向けて、最適な洗浄効果が得られるように、正確に位置決めされるときには、前記フラッシュ洗浄ジェット上の前記スロットは、前記アクセサリタブと一致する、ことを特徴とするキャニスタ。
【請求項１８】
請求項１５記載のキャニスタにおいて、
（ａ）前記容器の前記開いたトップの周囲の少なくとも一部に延長するリムと、
（ｂ）前記リッドの周囲に形成され離間している複数の弾力性タブであって、前記容器のリムに係合し前記リッドを前記容器の上に固定することにより、前記リッドを取り外すには少なくとも３つの前記タブを前記リムから取り外すことが必要となる、複数の弾力性タブと、
を更に備えていることを特徴とするキャニスタ。
【請求項１９】
請求項１５記載のキャニスタにおいて、
（ａ）前記容器の閉じたボトムは、外側の周辺部からその中心部へ向けて下向きに丸みを与えられており、
（ｂ）複数の脚部が、前記ボトムから下向きに延長して、前記容器のための安定的なプラットフォームを提供していることを特徴とするキャニスタ。
【請求項２０】
液体廃棄物処理及びキャニスタフラッシュ洗浄システムと共に使用可能であるキャニスタであって、前記フラッシュ洗浄システムは、加圧された洗浄溶液源とサブシンクを含むキャビネットとを含む、キャニスタにおいて、
（ａ）開いたトップと前記サブシンクに挿入可能な閉じたボトム部分とを備えており、ドレイン開口が前記閉じたボトムに形成されている容器と、
（ｂ）前記開いたトップを覆う態様で前記容器の前記開いたトップに取り外し可能に付着可能なリッドであって、フラッシュ洗浄ジェットに対応するサイズのアクセサリポートを含むリッドと、
（ｃ）１つの液体通路と少なくとも１つのジェットポートとを含むフラッシュ洗浄ジェットであって、縦方向のスロットが形成されている伸長したボディを含むフラッシュ洗浄ジェットと、を更に備えており、
（ｄ）前記リッドにおける前記アクセサリポートは、開いたトップを有し、更に、前記アクセサリポートの中に内向きに延長するアクセサリタブを含んでおり、前記フラッシュ洗浄ジェットが前記アクセサリポートの中に挿入され、それによって、前記ジェットポートが、洗浄ジェットを前記容器の中に向けて、最適な洗浄効果が得られるように、正確に位置決めされるときには、前記フラッシュ洗浄ジェット上の前記スロットは、前記アクセサリタブと一致するようになされており、
（ｅ）前記容器のドレイン開口に位置決めされたストッパと、
（ｆ）前記容器の内部に位置決めされ、前記ストッパと接触する第１の端部と前記アクセサリポートの中に上向きに延長する第２の端部とを有するプランジャロッドであり、下向きに強制されるように前記アクセサリポートの中に挿入されるときには前記フラッシュ洗浄ジェットによって係合可能であり、よって、前記フラッシュ洗浄ジェットによって下向きに強制されるときには前記ストッパを前記ドレイン開口の外に強制する、プランジャロッドと、
を更に備えていることを特徴とするキャニスタ。
【請求項２１】
請求項２０記載のキャニスタにおいて、
（ａ）前記容器は、前記開いたトップから外向きに延長する周辺フランジと、前記容器の周辺フランジに形成されたスロットとを含み、
（ｂ）前記リッドは、前記容器上の前記周辺フランジと一致するような形状及びサイズを有する外向きに延長することにより、前記アクセサリポートが、前記リッドが前記容器に付着されると、前記ドレイン開口と位置合わせされる周辺レシーバ部分と、前記リッドの周辺レシーバ部分に形成されたタブであって、前記リッドが前記容器の上に正確に向き付けられると前記スロットと係合するように位置決めされているタブと、を含んでいることを特徴とするキャニスタ。
【請求項２２】
請求項２０記載のキャニスタにおいて、
（ａ）前記容器の前記開いたトップの周囲の少なくとも一部に延長するリムと、
（ｂ）前記リッドの周囲に形成され離間している複数の弾力性タブであって、前記容器のリムに係合し前記リッドを前記容器の上に固定することにより、前記リッドを取り外すには少なくとも３つの前記タブを前記リムから取り外すことが必要となる、複数の弾力性タブと、
を更に備えていることを特徴とするキャニスタ。
【請求項２３】
請求項２０記載のキャニスタにおいて、
（ａ）前記容器の閉じたボトムは、外側の周辺部からその中心部へ向けて下向きに丸みを与えられており、
（ｂ）複数の脚部が、前記ボトムから下向きに延長して、前記容器のための安定的なプラットフォームを提供していることを特徴とするキャニスタ。
【発明の詳細な説明】
発明の背景
Ｉ．発明の分野
本発明は、概して、液体廃棄物処理及びキャニスタのフラッシュ洗浄に関し、特に、フラッシュ洗浄用に再使用可能な容器に適する再使用キット及び廃棄可能なキットの準備のためにフラッシュ洗浄される容器からの液体医療廃棄物の処理に関する。
II．従来技術の記述
一般に、種々の形態の液体廃棄物には、種々異なる状況で遭遇する。例えば、液体医療廃棄物は、一般に、外科手術又は他の医療施術工程で発生する。かような廃棄物は、血液や他の患者の体液を含み、ほとんどの外科手術では、一人の患者からかような廃棄物の多数の容器が発生する。液体医療廃棄物は、ＡＩＤＳ、肝炎、ＭＲＳＡ及び結核を含む種々の感染症を伴う汚染の可能性ゆえに、大きな処理問題を呈する。かような液体医療廃棄物を取り扱うことに関連するリスクに抵抗し、感染症の拡散から医療従事者を保護する努力において、処理工程は、ますます複雑で費用のかかるものとなってきている。
液体医療廃棄物用の処理工程の一例は、外科手術からの廃棄物キャニスタを特別に設計された給排水設備に移して空にする工程を含む。しかし、この工程は、跳ね上げやエーロゾルに関連するリスクを含む可能性があるので、医療従事者は廃棄物及びそこに存在するバクテリアに暴露される可能性がある。
別のタイプの処理工程は、周期的に空にされなければならない液体廃棄物リザーバを有する特別に設計された設備による廃棄物の集中管理された収集工程を含む。かような設備は、一般に、比較的高価で、病院の手術室又は他の処理施設の設備費用を大幅に増加するであろう。
また別の液体医療廃棄物の処理方法は、容器内において凝固剤と混合する工程を含む。次に、容器内の医療廃棄物は、バイオハザード（生物学的危険性）廃棄物処理の政府の規則に従って処理される。この処理方法での欠点は、１回の使用となるキャニスタの費用及び時として「レッドバッグ」廃棄物と呼ばれる生物学的危険性廃棄物の処理に対する追加の費用を含むことである。
液体医療廃棄物処理工程は、労働安全衛生局（ＯＳＨＡ）、食品及び薬品局（ＦＤＡ）、及び疾病対策センター（ＣＤＣ）を含む種々の政府機関及び取り締まり機関により課された規則及び規定の制限を受ける。
これまで、本発明の利点及び特徴を有する液体医療廃棄物処理システムは得られていなかった。
発明の概要
本発明によれば、廃棄物キャニスタの底部を受け入れるための１以上のサブシンクを有するシンクを形成するキャビネットを含む液体廃棄物処理及びキャニスタフラッシュ洗浄システムが提供される。１個又は複数のサブシンクは、ドレインラインに連結されている。第１の実施形態において、各キャニスタは、アクセサリポートを有する蓋と、ドレイン開口を有する基部と、蓋及び基部に連結されている側壁と、を含む。サブシンクに受け入れられるキャニスタの下部で、キャニスタ基部は、サブシンクの底部の上方に位置づけられる。プランジャアセンブリは、キャニスタ基部ドレイン開口を閉鎖するためにキャニスタ基部ドレイン開口に位置づけられたストッパと、ストッパに連結されている下端部及びキャニスタ蓋アクセサリポートに位置づけられている上端部を有するロッドと、を含む。射出ジェットは、水ライン及び洗浄液ラインにより、水源及び洗浄液源に連結されていて、水及び漂白剤などの洗浄液を混合して、キャニスタに放出される希釈された洗浄液を生成する。射出ジェットは、キャニスタ蓋アクセサリポート内に挿入されて、プランジャロッド上端部と係合し、ストッパをサブシンク内に取り出し、よってドレインバルブを開放して、キャニスタの内容物である液体廃棄物をサブシンク内へ、次いでドレインラインに排水可能とする。ドレインサイクルが完了すると、希釈された洗浄液は、キャニスタをフラッシュ洗浄するために、射出ジェットからキャニスタへ放出される。制御システムが、連続するドレインサイクル及びフラッシュ洗浄サイクルのために設けられて、フラッシュ洗浄サイクルはドレインサイクルが完了するまで開始されないようにする。制御システムは、プログラム可能なマイクロプロセッサを含むものでもよい。このマイクロプロセッサは、ドレインサイクル及びフラッシュ洗浄サイクル継続時間を調節可能で、操作中のシステムの状態の視覚的及び聴覚的指標を提供し、キャビネットの蓋が閉鎖した状態のシンクにキャニスタが収納されるまでフラッシュ洗浄を防止する。マイクロプロセッサによりモニター及び／又は制御され得る他の機能は、フラッシュ洗浄水圧、所望の洗浄液／フラッシュ洗浄水比率に達するまでの漂白剤の滴下フロー制御、フラッシュ洗浄水容積に対する液体廃棄物の量の割合のモニタリング、水温のモニタリング、所望のパラメータに対する例外の保存及び保管及びパラメータが所定レベルを超えた場合のシステムの遮断を含む。キャビネットは、跳ね上げのリスクを排除するため蓋をロックするソレノイドを具備することもでき、マイクロプロセッサは、蓋がロックされずに下方にある場合にフラッシュ洗浄操作を阻止するため、蓋のロック状態をモニタリングすることもできる。離隔モニタリング機能及び緊急ページング機能用の内蔵モデムを具備することもでき、システム状態の瞬時のフィードバックを提供するため内蔵ＬＣＤディスプレイを具備することもできる。
さらに、液体廃棄物処理及び液体廃棄物を含有するキャニスタをフラッシュ洗浄する方法が提供される。この方法は、フラッシュ洗浄サイクルの開始の前に所定時間にわたりキャニスタから排水する工程と、フラッシュ洗浄サイクルに対応する所定時間インターバルの間キャニスタをフラッシュ洗浄する工程と、からなる。
キャニスタの第１の別の実施形態において、再使用可能で、剛性な外部ケーシングは、廃棄処理可能な可撓性インナーライナーと一緒に用いられる。自己支持可能なほど可撓性である可撓性インナーは、好ましくは、アクセサリポートを含む複数の上部開口を有する蓋に超音波溶接される。ライナーは、さらに、取り外し可能なストッパにより閉鎖されている底部開口を具備し、アクセサリポートとストッパとの間に延在するプランジャロッドを含む。剛性な外部ケーシングは、底部開口を有する。この底部開口は、好ましくはキャビネット内に位置づけられる前に手動により取り除かれるストッパにより閉鎖可能で、上述のようにキャビネット内のサブシンク内に部分的に載るサイズである。次に、射出ジェットは、アクセサリポートに挿入され、プランジャロッドを下方に押して、底部ストッパをライナーの外方に強制的に押し出す。次いで、ライナーの内容物は、ライナーから、ケーシングの底部開口から及びサブシンクから排出される。フラッシュ洗浄及び滅菌は上述のようになされる。ケーシングは再使用可能であるが、可撓性ライナーは廃棄処理可能である。可撓性ライナーの蓋、外部ケーシング、及び任意であるがサブシンクは、すべて、正確な相対方向を確実にするように固定され得る。
キャニスタの第２の別の実施形態において、半剛性の容器が設けられている。この容器の組成は、プラスチックのミルクカートンに類似している。すなわち、自己支持に十分な剛性である。可撓性ライナーとして、半剛性の容器はさらに好ましくは、アクセサリポートを含む複数の上部開口を有する蓋に超音波溶接されている。ライナーはさらに、取り除き可能なストッパにより閉鎖された底部開口を有し、アクセサリポートとストッパとの間に延在するプランジャロッドを含む。半剛性のライナーは搬送用に剛性の外部ケーシング内部に位置づけられ得るけれども、好ましくは、キャビネット内で特定のサブシンクと一緒に単独で用いられるように設計されている。特定のサブシンクは、シンクの底部から上方に延在し且つフラッシュ洗浄及び滅菌操作の間、サブシンク自身が半剛性の容器を支持して取り巻くように半剛性の容器の蓋に係合するサイズである周壁を有する。再び、上述のように、半剛性の容器がサブシンク内の定置に置かれると、射出ジェットはアクセサリポートに挿入され、プランジャロッドを下方に押し下げて、底部ストッパを容器の外方に押し出す。次に、容器の内容物は、容器から排出されて、サブシンクから排出される。フラッシュ洗浄及び滅菌は、上述のように達成される。フラッシュ洗浄され滅菌された容器は、次に、通常の再使用に供される。
第１の別のフラッシュ洗浄装置において、半剛性容器の底部開口は排除されてもよく、内部のプランジャロッドはトロカールとして形状化されたシャープなポイントを有することができる。プランジャロッドがフラッシュ洗浄ジェットによって下方に強制的に押し下げられると、トロカールは容器底部を穿刺し、よって流体を排出することを可能とする。第２の別のフラッシュ洗浄装置において、半剛性容器の内部プランジャロッドは排除されてもよく、直立プランジャロッドは、サブシンクの底部、特にサブシンクドレインの周りに固定される。直立プランジャロッドは、サブシンク内に置かれたときに半剛性容器の底部を穿刺し、よってドレインを引き起こすトロカールポイントを具備してもよい。いずれの場合にも、フラッシュ洗浄及び滅菌は、上述のように達成され、穿刺された半剛性容器は通常の再使用に供され得る。
可撓性ライナー又は半剛性容器のいずれの実施形態においても、アクセサリポートは逆さ漏斗として形状化され得る。逆さ漏斗は、挿入操作及びドレイン操作の間、内部プランジャロッド用のガイドとして作用する。剛性容器及び可撓性ライナー並びに半剛性容器における底部ドレイン開口は、縁部の周りに面取りされてシャープな縁部を排除し、完全なドレナージ（排出）を促進する。アクセサリポートは、フラッシュ洗浄用ジェットを定置にスナップ留め可能とする内周縁リッジを含むこともできる。
改良された剛性容器の別の実施形態において、容器は、外方に延在する周縁フランジを具備するリム付きキャニスタを含む。この周縁フランジは、キャニスタ蓋の上の同様に形状化された外方に延在する周縁受け器と符合して、蓋を固定すなわちキャニスタ上の正確な位置に取り付ける。蓋内のアクセサリポートは、モールド成形されたタブを含む。このタブは、開口内方に延在し、フラッシュ洗浄用ジェット上のスロットと符合して、フラッシュ洗浄用ジェットが容器内で正確に方向づけられるようにする。これは、フラッシュ洗浄用ジェットからの流体が、最適なフラッシュ洗浄状態に対する所望の位置にて、容器壁に確実に当たるようにする。改良された剛性容器は、キャニスタ上の底面を含む。この底面は、周縁からキャニスタに至るまでに徐々に小さくなる半径を有し、逆さ位置にあるときに、容器底部上に流体が溜まらないようにする。丸みがつけられたキャニスタ底部はさらに、丸みがつけられた底部から下方に向かって延在するモールド成形されたリブによって形成された多数の脚部を有する。ここで、リブは容器の中心から半径方向外方向に延在する。リブは、キャニスタが平坦な表面上に安定に着座し、キャニスタドレイン開口が２個のリブの間に位置づけられて且つ立ち上がり、こうして、キャニスタの安定性に影響を与えずに、ストッパがドレイン開口に置かれるようにする。
液体廃棄物処理及びキャニスタフラッシュ洗浄方法及びシステムにおける他の改良点は、キャニスタ上に蓋をロックする改良されたタブロックシステム及び真空ポートを除いていかなるポートからもキャニスタに引かれる真空をなくすことができる安全装置真空ポート嵌合器具にある。キャニスタドレイン開口ストッパは、ストッパがキャニスタドレイン開口に位置付けられるときに０リングシールとして作用する周縁リッジを具備する。再使用可能なキャニスタと一緒に用いるための単一使用の廃棄処理可能なキャニスタフラッシュ洗浄キットは、一体的なポア−Ｘ（Pour-X）フィルタと、ロッドと、ドレインプラグと、リンクを介して一緒に取り付けられた複数のキャニスタ蓋ポートカバリングと、含み、スパイダー形状を形成する。フラッシュ洗浄用ジェットポートにおいて、ポートは、下半分に沿って離隔している複数のリンクされたジェットポートを有する約２倍の長さにされており、フラッシュ洗浄用ジェット流をキャニスタに最適に方向づけて配分する。
発明の目的及び利点
本発明の主目的及び利点は、液体廃棄物処理及びキャニスタフラッシュ洗浄システムを提供すること；医療廃棄物の比較的廉価な廃棄処理を促進するかようなシステムを提供すること；医療廃棄物容器の再使用を促進するかようなシステムを提供すること；現存する医療廃棄物容器と一緒に使用することに比較的容易に適するかようなシステムを提供すること；廃棄処理中の医療廃棄物の跳ね上げを減少するかようなシステムを提供すること；医療廃棄物の取り扱い及び廃棄処理に関連する危険を減少することができるかようなシステムを提供すること；下水システムへの医療廃棄物の排出を促進するかようなシステムを提供すること；医療廃棄物処理に関連する廃棄可能な成分の量を減少することができるかようなシステムを提供すること；種々のバクテリア及び感染源の効果的な中和を提供するかようなシステムを提供すること；比較的わずかなトレーニングを受けた医療従事者により使用可能なかようなシステムを提供すること；少なくとも部分的に自動化された制御システムを有するかようなシステムを提供すること；比較的ポータブルなかようなシステムを提供すること；比較的コンパクトなかようなシステムを提供すること；比較的単純な給排水設備施工及び電気接続を組み込むことができるかようなシステムを提供すること；フラッシュ洗浄を最適にするためジェットポートがキャニスタアクセサリポートに締め付けられるかようなシステムを提供すること；逆さ状態での貯蔵及び洗浄の間、容器底部上に流体が集まることを防止するテーパー付き底部を有するキャニスタを有するかようなシステムを提供すること；キャニスタドレイン開口に位置づけられたストッパを有する場合にも安定な支持を提供するため複数の半径方向支持リブがキャニスタ底部から下方に延在するかようなシステムを提供すること；再使用可能なキャニスタを密閉しフラッシュ洗浄するために必要なすべての要素を含む単一使用キットを有するかようなシステムを提供すること；製造及び使用が経済的で、操作が効率的で、長い操作寿命が可能で、提案された使用にほぼ良好に適するなかようなシステムを提供すること；液体医療廃棄物処理及びキャニスタフラッシュ洗浄方法を提供すること；比較的効率的なかような方法を提供すること；比較的安全なかような方法を提供すること；比較的経済的なかような方法を提供すること；及び提案された使用に特に良好に適するかような方法を提供することである。
本発明の他の目的及び利点は、本発明の説明及び実施例、特定の実施形態により添付図面に関連してなされる以下の記述から明らかになるであろう。
図面は、本明細書の一部を成し、本発明の例示的実施形態を含み、種々の目的及び特徴を説明する。
図面の簡単な記載
図１は、本発明を具現化する液体医療廃棄物処理及びキャニスタフラッシュ洗浄システムの上部正面斜視図である。
図２は、液体医療廃棄物処理及びキャニスタフラッシュ洗浄システムの拡大破断縦断面図である。
図３は、射出ジェットがキャニスタ蓋に挿入されていて、プランジャアセンブリを取り除いた状態を示す液体医療廃棄物処理及びキャニスタフラッシュ洗浄システムの拡大破断縦断面図である。
図４は、図１の線４−４に沿って切り取った液体医療廃棄物処理及びキャニスタフラッシュ洗浄システムの拡大破断縦断面図であり、１個のキャニスタの蓋に挿入された射出ジェットを示す。
図５は、液体医療廃棄物処理及びキャニスタフラッシュ洗浄システムの拡大破断縦断面図であり、閉鎖位置にあるプランジャアセンブリを有するサブシンクに位置づけられたキャニスタの下端部を示す。
図６は、液体医療廃棄物処理及びキャニスタフラッシュ洗浄システムの拡大破断縦断面図であり、開かれたドレイン位置にあるプランジャアセンブリを示す。
図７は、給排水システムの概略説明図である。
図８は、制御システムの概略説明図である。
図９は、本発明を具現化する液体廃棄物処理及びキャニスタフラッシュ洗浄方法のフローチャートである。
図１０は、廃棄処理可能な可撓性ライナーを有するキャニスタの第１の別の実施形態を示す斜視図である。
図１１は、フラッシュ洗浄及び滅菌用の位置に挿入されたフラッシュ洗浄用ジェットを有し、キャビネット内にあるサブシンクに位置づけられている図１０の容器の断面図である。
図１２は、水入口及び洗浄液入口の間のいかなるベンチュリ効果をも排除するように設計された改変されたフラッシュ洗浄ジェット嵌合器具の拡大断面図である。
図１３は、内部プランジャロッド及び改変されたサブシンクに挿入された底部開口を有する半剛性容器を含むキャニスタの第２の実施形態を示す断面図である。
図１４は、フラッシュ洗浄用ジェットの挿入時に容器底部を穿刺するように設計されたシャープなポイントを有する内部プランジャロッドを含む改変された設計の半剛性容器の破断断面図である。
図１５は、サブシンクのドレイン開口周囲から上方に向けて延在する内部プランジャロッドを含み、容器がサブシンク内に正確に着座したときに容器底部を穿刺するように設計された別の改変された設計の半剛性容器の破断断面図である。
図１６は、キャニスタから取り除かれてキャニスタの上方に置かれているキャニスタ蓋、キャニスタに位置づけられているドレインプラグ及びプランジャ並びにキャニスタ蓋上方に位置づけられている符合したジェットポート及び創意に富んだ真空アダプタ嵌合器具を有する別の剛性キャニスタの斜視図である。
図１７は、キャニスタの下部の拡大破断断面図であり、底部から下方に延在する複数の半径方向支持リブを有する丸みを付された底部及び放射状周縁リッジを具備するドレインストッパを示す。
図１８は、図１７のキャニスタ蓋の真空でない部分の拡大破断断面図であり、創意に富んだ真空アダプタ嵌合器具がポートの密閉を防止している状態を示す。
図１９は、図１７に示すキャニスタ蓋の真空ポートを拡大破断断面図であり、創意に富んだ真空アダプタ嵌合器具が真空ポートに着座して、真空シールを与えている状態を示す。
図２０は、図１６のキャニスタの一部及びキャニスタ蓋の拡大破断断面図であり、蓋及びキャニスタ周縁の間のスナップタブ嵌合を示す。
図２１は、スパイダー形状に相互連結された複数のキャニスタ蓋ポートカバーとキャニスタドレイン開口ストッパとプランジャとを有する廃棄処理可能なキャニスタ蓋を含む図１６のキャニスタなどの再使用可能なキャニスタに適するフラッシュ洗浄用単一使用キットを説明する分解組立図である。
図２２は、内部構造を説明するために一部を破断して示す別のより長いジェットポート設計の拡大斜視図である。
図２３は、サブシンクドレインに連結されている保持タンクと、保持タンクに設けられているｐＨ中和剤溶液の任意の導入用の上部入口と、保持タンクを床ドレインに連結するバルブ付ドレインと、を有する本発明を具現化する別の液体医療廃棄物処理及びキャニスタフラッシュ洗浄システムの斜視図である。
図２４は、図２３のシステム用の別の給排水システムの概略説明図である。
図２５は、図２３のシステム用の別の制御システムの概略説明図である。
図２６は、図２３のシステム用の別の液体廃棄物処理及びキャニスタフラッシュ洗浄方法のフローチャートである。
発明の詳細な記述
要求に応じて、本発明の詳細な実施形態を以下に記述するが、開示された実施形態は発明の例示のためだけに記述されるものであり、本発明は種々の形態に具現化され得ることを理解されたい。したがって、本発明は、以下に詳細に記述される特定の構造及び機能に限定されるものではなく、単に請求の範囲に基づいて定められるものであり、実際には適当な多岐にわたる構造に本発明を多面的に用いることを当業者に教示するための代表的なベースとして示されている。
さらに詳細に図面を参照すれば、参照符合２は、全体的に、本発明を具現化する液体廃棄物処理及びキャニスタフラッシュ洗浄システムを指す。システム２は、制限なく大部分の有用な適用に用いることができる。ここでは、改変された医療廃棄物キャニスタ４における操作用に設計されている。システム２は、概して、キャビネット６，給排水システム８及び制御システム１０を含む。
II  キャニスタ４
廃棄物処理及びフラッシュ洗浄システム２の例示的な適用は、一般に患者の血液や他の流体を含む医療廃棄物用に外科手術において用いられているタイプのキャニスタ４を備えている。かようなキャニスタとしての典型例は、ミズーリ州セントルイスのアライドヘルスケアプロダクト社（Allied Healthcare Products, Inc, St. Louis, Missouri）から入手可能であり、所定容積（例えば２５５０ｍｌ）の容器４ｂを形成する本体４ａ及び好ましくは上方向に凸状であって流体が溜まらないようにする取り外し可能な蓋４ｃを含む。本体４ａは、上端部４ｈ及び下端部４ｉを含む。蓋４ｃは、ルーア（Leur）ロックタイプ連結具で本体４ａに固着可能であり、適当な入口ポート、真空ライン用の嵌合器具、チェックバルブ用の嵌合器具、クランプ用の嵌合器具などを含むことができる。蓋４ｃは、ほぼ筒状、管状のアクセサリポート４ｄ及び開口４ｅを含む。キャニスタ４はさらに、ほぼ円形の基部４ｆ、及びキャニスタ本体４ａの入れ子状の重なり収納を可能とするテーパー付形状に下方に収束する円錐台形側壁４ｇを含む。
よって、記載されている限りにおけるキャニスタ４は、比較的標準形状である。本発明のシステム２と一緒に用いるために、標準キャニスタ４は、プランジャアセンブリ１２を含むように改変される。プランジャアセンブリ１２には、ドレイン開口１２ａがキャニスタ基部４ｆに中心から外れて形成されていて、密閉係合状態にストッパ１２ｂを選択的に受け入れる。
キャニスタ基部４ｆは、キャニスタの内側からみると凹面であり、凹面状基部４ｆのほぼ最下位レベルにて開くドレイン開口１２ａを介しての排出を促進する形状を有する。キャニスタ底部フランジすなわちリップ４ｊは、キャニスタ基部４ｆから下方向に延在し、キャニスタ側壁４ｇの延長部を含む。複数のドレインノッチ４ｋは、底部リップ４ｊに形成され、キャニスタ基部４ｆの凹面形状と共働し、こうして水は、例えば自動皿洗い器具を用いてキャニスタ４を逆さ位置で洗う場合などキャニスタ４が逆さ位置にあるときに、キャニスタ基部４ｆから排出されるであろう。
プランジャロッド１２ｃは、ストッパ１２ｂに埋め込まれている下端部１２ｄと、アクセサリポート４ｄに突出していて且つ上部キャップ１２ｆを載せる上端部１２ｅと、を含む。上部キャップ１２ｆは、アクセサリポート４ｄに受け入れられて、アクセサリポート４ｄを選択的に閉鎖するようになされている。加えて、図示したプランジャアセンブリ１２は、他のドレインバルブ手段をキャニスタ４と一緒に利用することもできる。これらは、例えば、キャニスタ基部４ｆ又はキャニスタ側壁４ｇのいずれかに形成されたドレイン開口を選択的に開閉する種々のキャップ、蓋、プラグ及びバネ負荷された装置を含むことができる。
III  キャビネット６
キャビネット６は、正面パネル１４ａ及び背面パネル１４ｂと、第１の側面パネル１４ｃ及び第２の側面パネル１４ｄと、頂面パネル１４ｅと、を含む。第２の側面パネル１４ｄは、側面アクセスパネル１４ｈによって選択的にカバーされる開口を有する。頂部開口１４ｉは、頂面パネル１４ｅにヒンジによって取りつけられた蓋１４ｊによって選択的にカバーされる。頂部開口１４ｉは、シンク１４ｋに対するアクセスを提供する。開口を有する一対のサブシンク１４ｌと、上部の口１４ｍとサブシンク底部１４ｎは、シンク１４ｋの床部１４ｐから下方に垂れ下がる。サブシンク１４ｌは、一般的に筒状である。２個のサブシンク１４ｌが示されているけれども、システム２は単一のサブシンク１４ｌ又は２個以上のサブシンク１４ｌを含むものでもよい。サブシンク１４ｌは、底部１４ｎにあるサブシンクドレイン開口１４ｑを介して、給排水放出サブシステム８ｂを備えるサブシンクドレインライン１４ｏと連通する。キャビネット６は、レベリング用の調節可能な脚部１６を具備する。キャビネット６の内部１８は、一般に、シンクチャンバ１８ａ及び制御チャンバ１８ｂを形成する。
IV  給排水システム８
給排水システム８は、一般に、供給サブシステム８ａ及びドレインサブシステム８ｂを含む。供給サブシステム８ａは、通常の市営水道、水タンク又は水ポンプなどの適当な加圧水源２１に連結されている水入口ライン２０を含む。ストレイナー２２は、水入口ライン２０に設けられていて、逆流防止バルブ２４がその下流に設けられている。水入口ライン２０は、Ｔ字形嵌合器具２６に連結し、第１及び第２の供給ブランチ２８ａ及び２８ｂを形成する。
各供給サブシステムブランチ２８ａ及び２８ｂは、ライン上に、ゲートタイプ遮断バルブ３０及びソレノイド作動バルブ３２を含む。各水入口ライン２０は、射出ジェット３４で終止し、圧力下の洗浄液を射出ジェット３４までポンプで汲み上げるためのポンプ３９を含むこともできる洗浄液源３８に連通する洗浄液射出ライン３６とも連通する。各射出ジェット３４は、フランジ状上端部３４ｂ及びフランジ状下端部３４ｃを有する概して筒状の本体３４ａを含む。ジェット通路３４ｄは、上端部３４ｂに中心からずれて配置されているネジ溝付水入口３４ｅから下方に延在する。水入口ライン２０は、肘部３４ｋによって、水入口３４ｅに連結されている。放出オリフィス３４ｆは、本体下端部３４ｃに配置されていて、さらに中心からずれている。こうして、ジェット通路３４ｄは、射出ジェット本体３４ａの長手方向軸３４ｊに対して斜めに進む。ジェット通路３４ｄの斜めに進む角度方向ゆえに、希釈された洗浄液は、ほぼキャニスタ側壁４ｇに向けられ、キャニスタ容器４ｂ内で渦巻きフラッシュ洗浄作用を呈する。洗浄液入口３４ｇは、本体上端部３４ｂに形成されていて、洗浄液通路３４ｈと連通する。洗浄液通路３４ｈは、本体３４ａの内部にあるジェット通路３４ｄを有するＹ字形交差部３４ｉを形成する。洗浄液入口３４ｇは、洗浄液ライン３６と連結されている。
ベンチュリ効果は、ジェット通路３４ｄを介する水の通過によって発生する。こうして、洗浄液は洗浄液通路３４ｈを貫通して吸引され、水と組み合わされて希釈された洗浄液混合物を形成する。希釈された洗浄液混合物は、放出オリフィス３４ｆを介して放出される。
任意の塊溶解液源４０は、ドレインラインジェット４２と連通する。ドレインラインジェット４２は、ドレインライン１４ｏに向けられ、そこにある血塊を溶解する。塊溶解液源４０及びジェット４２は、第２の給排水システムブランチ２８ｂ上に任意に示されているが、これらは第１の給排水システムブランチ２８ａ上に設けられてもよいし、あるいはすべて排除されてドレインライン１４ｏ内の塊を手作業で処理してもよい。
Ｖ  制御システム１０
制御システム１０は、制御マイクロプロセッサ５０を利用する。プログラムポート５２は、適当なＲＡＭデバイス５３ａを介するマイクロプロセッサ５０に対するインプットアクセスを提供する。ＲＯＭデバイス５４もまた、マイクロプロセッサ５０に連結されている。
アナログ−デジタルインプット変換能力は、Ａ／Ｄコンバータ５６によって与えられる。Ａ／Ｄコンバータ５６は、エンコーダ５８に連結されていて、次いでＲＡＭデバイス５３ｂを介してマイクロプロセッサ５０に連結されている。選択キー６０もまた、エンコーダ５８に対するデジタルインプットを与える。レベルプローブ６２は、溶液源３８に連結されていて、溶液源３８内の液レベルをモニタリングする。レベルプローブ６２はまた、増幅器６２ａを介してＲＡＭデバイス５３ｂに連結されている。
ソレノイドバルブ制御６４は、デジタルアウトプットモジュール６４ａを含む。デジタルアウトプットモジュール６４ａは、ソレノイドバルブ３２及び一対のインジケータライト６４ｂに連結されている。インジケータライト６４ｂは、ソレノイドバルブ３２の開位置又は閉位置を表示する。デジタルアウトプットモジュール６４ａは、ＲＡＭデバイス５３ｃを介してマイクロプロセッサ５０に連結されている。
ディスプレイデバイス６６は、キャビネット頂面パネル１４ｅに載置されていて、ＲＡＭデバイス５３ｄ及びドライバ６６ａを介してマイクロプロセッサ５０に連結されていて、例えば制御システム１０の状態又はフラッシュ洗浄サイクルを完了するための残り時間や遅れモード（詳細は後述する）などの種々の機能を表示するＬＥＤ又はＬＣＤディスプレイを含むこともできる。
音声サブシステム６８は、マイクロプロセッサ５０に連結されているスピーチ合成器６８ａと、ＲＡＭデバイス５３ｅと、スピーチＲＯＭデバイス６８ｂと、増幅器６８ｄと、スピーカ６８ｅなどの適当なアウトプットデバイスと、を含む。これらはすべて、図８に示すように相互連結されている。水圧センサ２０１は、マイクロプロセッサ５０に連結されていて、水圧をモニタリングし、水圧が適当な値になるようにする。水フローセンサ２０２及び追加のフローセンサ２０３は、流体のフローをモニタリングし、添加剤の滴下及び水フローのモニタリングを可能として、水中の添加物（洗浄液）の濃度を算出する。よって、マイクロプロセッサ５０は、バルブ３２及びポンプ３９を制御して、所望の添加剤濃度を達成するようにする。マイクロプロセッサ５０による水フローのモニタリングは、政府規制に従うことを保証する。水温モニタ２０５は、マイクロプロセッサ５０が水温をモニタリングすることを可能とする。遠隔制御された緊急遮断２３及び２１１は、モニタリングされたパラメータが所定制限値を越える場合には、マイクロプロセッサ５０がキャビネット６のドレインを遮断し、並びにすべての流体入口を遮断することを可能とする。マイクロプロセッサ５０はさらに、所望のパラメータに対する例外を保存し保管する。任意のモデム２１２が遠隔モニタリング用に設けられてもよく、内蔵ディスプレイ６６用の緊急ページング機能がシステム状態の瞬時のフィードバック用に設けられてもよい。
この制御システム１０は、システム２の種々の機能を制御するための適当なアナログ要素、デジタル要素又はアナログ／デジタル要素を有する種々の別の形状を備えてもよいことは理解されるであろう。特に、システム２の種々の機能をモニタリングし及びより大きな程度又はより小さな程度に自動化するための他のインプット及びアウトプットが設けられてもよい。
VI  キャニスタ７１の第１の別の実施形態
図１０及び図１１を参照すれば、キャニスタの第１の別の実施形態が７１で示されている。キャニスタ７１は、剛性の外部ケーシング７２を含む。外部ケーシング７２は、好ましくは、ほぼ円形の開口頂部７３からより小さな直径でほぼ円形の閉鎖底部７４まで延在する円錐台形状を形成する周壁を有する。剛性ケーシング７２は、先に述べたキャニスタ４と同様のものであってもよく、取り外し可能な蓋８１を収納するために開口頂部７３にルーア（Leur）ロックタイプ連結具７５を含むこともできる。取り外し可能な蓋８１は、流体の滞留を防止するため上方に向かって凸状であることが好ましい。蓋８１は、可撓性ライナー８２に超音波溶接されていて、内部チェックバルブ８４を有する真空ライン用の嵌合器具８３を含む。蓋８１はまた、可撓性ライナー８２の内部に開いているアクセサリポート８５を含む。アクセサリポート８５は、ほぼ筒状管状に形状化されていて、逆さ漏斗に類似している少なくとも１個のスロープ付き壁８６と、開口９１と、を含むこともできる。
プランジャロッド９２は、アクセサリポート８５の開口９１をカバーし且つ密閉するプラグ９３に取り付けられている。スロープ付き壁８６は、プランジャロッドがライナー８２に挿入される際に、プランジャロッド用のガイドとして作用する。ドレイン開口９４は、可撓性ライナー８２の底部に形成されていて、ドレイン開口９４は、プランジャロッド９２によって係合される取り除き可能なストッパ９５を保持するために強化されていてもよい。剛性ケーシング７２の閉鎖された底部７４は、ドレイン開口９６を含む。ドレイン開口９６は、可撓性ライナー８２のドレイン開口９４の直下にあってもよく（図１０）又はドレイン開口９４からオフセットされていてもよい（図１１）。ライナー８２及び外部ケーシング７２の正確な整合を確実にするために、任意の卵形キー延長部９７をケーシング７２の開口頂部７３に含ませることもできる。このキー延長部９７は、ライナー８２がケーシング７２と正確に整合された場合に、蓋８１における同様の任意の延長部１０１と符合する。ケーシング７２の底部７４は、好ましくは、ドレイン開口９５を介するドレナージ（排水）を促進するために、凸状の上面を具備する。ストッパ９５と同様の任意の取り除き可能なストッパ９８は、ドレイン開口９６に位置づけられ得る。このストッパ９８は、好ましくは、図１１に示すように、キャビネット６のサブシンク１０３にケーシング７１を挿入する前に、取り除かれる。ドレイン開口９５は、シャープな表面を最小化するために、面取りされた縁９９を有することもできる。
アクセサリポート８５は、改変された射出ジェット１０６（図１２に最もよく示されている）用の容器として作用し、さらに、洗浄液射出ライン３６ａと連通する。改変されたジェット１０６は、ジェット通路１０６ｄを貫通する水の通過によって発生するベンチュリ効果を排除するように設計されている。こうして、洗浄液圧及び洗浄液フローは、水と組み合わされて希釈された洗浄液混合物を形成するために洗浄液通路１０６ｈに取り付けられている滅菌ポンプ（図１１には示されていない）の操作によってのみ、正確に制御され得る。ここで、希釈された洗浄液混合物は、放出オリフィス１０６ｆを介して放出される。射出ジェット１０６もまた、プランジャロッド９２がジェット１０６によって強制的に下方に向けられる際に、プランジャロッド９２を安全に保持するためプランジャロッド９２の頂部を収納する傾斜した底面１０６ｉを含む。再び、ジェット１０６をアクセサリポート８５に導入することによって、プランジャロッド９２はストッパ９５をドレイン開口９４の外方に押し出し、よって、ライナー８２及びケーシング７２をフラッシュ洗浄及び滅菌に供する準備のために、可撓性ライナー８２から排水する。射出ジェット１０６は、アクセサリポート８５内の内周リッジ１０７と符合する周縁スロット１０６ｊを組み込み、射出ジェット１０６をアクセサリポート８５内の定置に安全にスナップ留めすることができる。
VII  キャニスタ１１１の第２の別の実施形態
図１３を参照すれば、キャニスタの第２の別の実施形態が全体として１１１で示されている。キャニスタ１１１は、好ましくは蓋１１３に超音波溶接されている半剛性容器１１２を備える。蓋１１３は、蓋８１と同様であり、すなわち、流体の滞留を防止するために好ましくは上方に凸状になされていて、内部チェックバルブ１１５を有する真空ライン用の嵌合器具１１４を含む。蓋１１３はさらに、半剛性容器１１２の内部に開いているアクセサリポート１２１を含む。アクセサリポート１２１は、ほぼ筒状管状形状に形状化されていて、開口１２３を有する。
プランジャロッド１２４は、アクセサリポート１２１の開口１２３をカバーし且つ密閉するストッパ１２５に取り付けられている。ドレイン開口１２６は、半剛性容器１１２の底部１３１に形成されていて、ドレイン開口１２６は、プランジャロッド１２４によって係合される取り除き可能なストッパ１３２を保持するために強化されていてもよい。
キャニスタ１１１は、改変されたサブシンク１３３と一緒に作動するように設計されている。サブシンク１１３は、キャビネット６のシンクチャンバ１８ａの底面１３５から上方に延在する筒状周壁１３４を含む。蓋１１３は、半剛性容器１１２がサブシンク１３３の底面１４０上方に位置づけられるような定置で、サブシンク周壁１３４の上面１３６上に載る寸法である周縁リッジを有する。サブシンク１３３の底面における容器１１２の排水された内容物の「渦巻き」を最小化するために、渦巻きストッパ１４１を底面１４０上に位置づけてもよい。渦巻きストッパ１４１は、単に、底面１４０に接着された底面及びサブシンク１３３の下部周壁１３８に接着された側面を有し、サブシンク１３３内の流体の渦巻き作用に干渉して中央のドレイン開口１３７を介する流体の排水作用を高める狭い矩形ブロックである。
キャニスタ４及び７１において、アクセサリポート１２１は、上述の目的のために、射出ジェット３４又は１０６（図示せず）用の容器として作用する。射出ジェット３４又は１０６をアクセサリポート１２１に導入することによって、プランジャロッド１２４は、ストッパ１３２をドレイン開口１２６の外方に押し出し、よって、フラッシュ洗浄及び滅菌に供する準備をするために半剛性容器１１２から排水する。
図１４を参照すれば、改変された半剛性容器１１２ａと一緒に用いるためのプランジャロッド１４２の別の例が示されている。容器１１２ａは、開口がない底部１３１ａを備える点を除いて、容器１１２とほとんど同じである。プランジャロッド１４２は、底端部にシャープなトロカール状ポイント１４３を含む。このポイント１４３は、アクセサリポート１２１に導入されているジェット３４又は１０６により係合されるときに、半剛性容器１１２ａの底部１３１ａを穿刺するように設計されている。よって、容器１１２ａ内にあるすべての液体は、穿刺された底部１３１ａを介して排水可能となる。プランジャロッド１４２は、容器１１２ａのドレナージ（排水）を促進するため、周縁に開口１４４を有する中空とすることもできる。
図１５を参照すれば、改変された半剛性容器１１２ａと一緒に用いるプランジャロッド１５１の第２の別の実施形態が示されている。再び、容器１１２ａは、開口がない底部１３１ａを備える点を除いて、容器１１２とほとんど同じである。プランジャロッド１５１は、好ましくはサブシンクドレイン開口１５３を取り巻く関係で、改変されたサブシンク１３３ａの底面１５２に取り付けられ且つ底面１５２から上方向に延在する。さらに、プランジャロッド１５１は、頂端部上にシャープなトロカール状ポイント１５４を含む。このポイント１５４は、図１３について上述したように、サブシンク１３３ａの直立周壁１３４上に正確に位置づけられるときに、半剛性容器１１２ａの底部１３１ａを穿刺するように設計されている。よって、容器１１２ａ内にあるすべての液体は、穿刺された底部１３１ａを介して排水可能となる。再び、プランジャロッド１５１は、サブシンク１３３ａのドレナージ（排水）を促進するように、周縁の開口１５５を有する中空とすることもできる。
VIII  キャニスタ２２１の第３の別の実施形態
剛性キャニスタ及び関連するフラッシュ洗浄設備の別の実施形態が、図１６、図１７及び図２０に、全体として２２１で示されている。キャニスタ２２１は、截断されたほぼ円錐台形状の容器２２２を含む。容器２２２は、リム２２４により取り巻かれている開口頂部２２３を有し、開口頂部２２３の一部は外方向に延在して、中央のスロット２２６を有する周縁フランジ２２５を形成する。容器２２２の側壁は、シャープに内方にテーパーが付されてリッジ２２７を形成する。ここで、容器２２２のリッジ２２７は、サブシンク１３３などのサブシンクの頂部リップ上に載る。容器２２２は、好ましくは、目盛り付スケール表示マーキング２３１を有し、及び、逆さ保存位置（図示せず）にあるときに容器底面２３２上に流体が滞留しないようにするために、容器周縁から中央部分２３３に内方に向かって、下方に徐々に丸みが付された底面２３２（図１６）を有する。丸みを付された容器底部２３２から下方に延在するのは、モールド成形されたリブにより形成されていて容器２２２の中央から容器の周縁に向かって半径方向外方に延在する多数の脚部２３４である。脚部２３４は、容器２２２が平坦な表面上に安定して着座し、容器ドレイン開口２３５が２本の脚部２３４の間に位置づけられて立ち上がり、こうして、容器２２２の安定性に影響を与えずに、ストッパ２４１をドレイン開口２３５内に置くことができるようにすることを保証する。
キャニスタ２２１はさらに、ほぼ円形であるが外方向に延在する周縁受け入れ部分２４３を含む容器蓋２４２を含む。ここで、周縁受け入れ部分２４３は、容器２２２上の周縁フランジ２２５と符合するような形状及びサイズであり、外周から内方に向かって延在するタブ２４４を有する。タブ２４４は、蓋２４２が容器２２２上に正確に置かれたときに、スロット２２６内に位置づけられる。フランジ２５５とスロット２２６と受け入れ部分２４３とタブ２４４との組み合わせは、容器ドレイン開口２３５が容器蓋２４２上のアクセサリポート２４５と整合するように、蓋２４２が容器２２２上に正確に位置づけられることを保証するキーとして作用する。アクセサリポート２４５は、逆さ漏斗として形状化され、アクセサリポート２４５内に内方に延在するモールド成形されたタブ２４６を含む。タブ２４６は、フラッシュ洗浄ジェットアダプタ２５２上のスロット２５１と符合して、フラッシュ洗浄アダプタ２５２内のポート２５３がキャニスタ２２１に正確に向けられることを保証する。これは、フラッシュ洗浄ジェットアダプタポート２５３からの洗浄液が、所望の位置で、キャニスタ２２２の内部に当たり、最適なフラッシュ洗浄状態のためにキャニスタ２２２内での流体のトルネード状の洗浄作用を発生することを保証する。蓋２４２は、さらに、中心決めされた真空供給ポート２５４と、患者ポート２５５と、タンデムポート２５６と、オルソ（ortho）ポート２５７と、管プラグ２６１と、を具備する。
図２０を参照すれば、容器リム２２４は、容器蓋２４２と一体にモールド成形された複数の弾性タブ２６４と符合する周縁リップ２６３を含む。容器蓋２４２が容器２２２の頂部位置まで下降する際に、タブはリップ２６３の下にスナップ留めして、蓋２４２を定置にしっかりと保持する。蓋２４２の周縁に位置づけられている少なくとも４個のタブ２６４があり、蓋２４２の取り除きは、隣接するタブ２６４の対を後方に引っ張り、同時に蓋２４２を持ち上げて、次に第３のタブ２６４を後方に引いて、蓋２４２を取り外すことを要求する。タブロックシステムは、キャニスタ２２１内の廃液と偶然に接触することを防止するように設計されている。
IX  安全装置真空ポートアダプタ２７１
安全装置真空ポート嵌合アダプタ２７１は、図１８及び図１９に示されている。アダプタ２７１は、好ましくは真鍮から作られてている。アダプタ２７１は、公知の態様で、真空ラインの開放端部を受け入れて保持するようになされている。中央の穴２７３は、上部２７２を貫通して延在し、キャニスタ２２１内を真空に引くことができるように、図１８に示すように、蓋２４２内の真空ポート２５４上に着座する寸法である内部のテーパー付き部分２７４と連結する。アダプタ２７１は、好ましくは互いに反対側に位置づけられているほぼ筒状で一対の側方に延在する貫通穴２８１を含む下部２７５を含む。貫通穴２８１及びアダプタ２７１の全長は、図１９に示すように、患者ポート２５５などの蓋の２４２の他のポート上には着座しないようにし、偶然に蓋の他のポートのいずれを介してもキャニスタ２２１を真空に引かないようにする。
Ｘ  改良されたドレイン開口ストッパ２４１
図１７は、一体的にモールド成形された周縁リッジ２８３を含む改良されたキャニスタドレイン開口ストッパ２４１を示す。リッジ２８３は、ストッパ２４１が容器ドレイン開口２３５内に位置づけられるときに、確実なＯリングとして作用して、容器２２２から偶然に流体が漏出することを防止する。
XI  単一使用のフラッシュ洗浄キット２９０
図２１は、容器２２２などの再使用可能な容器と一緒に用いるための単一使用で廃棄処理可能なキャニスタフラッシュ洗浄キット２９０を示す。再使用可能な容器２２２は、例えば、再使用可能で２２０度華氏までのオートクレーブでの使用が可能なポリカーボネートプラスチックあるいは３２１度華氏までのオートクレーブでの使用が可能なラデル（Radel）プラスチックなどの他の材料からモールド成形されてもよい。キット２９０は、好ましくは蓋２４２に関して上述したように構成されている単一使用の蓋２９１を含む。単一使用の蓋２９１は、オートクレーブでの使用ができず、真空ポート２５４内に位置づけられている一体的なポア−Ｘ（Pour-X）フィルタ２９２９を含む例えばポリスチレンプラスチックからモールド成形されてもよい。キット２９０はさらに、複数のカバーキャップ２９３とアクセサリポートキャップ２９４とを含む。各キャップは、各プラスチックつなぎ２９５によって、スパイダー状に、中央のリング２９６に取り付けられている。リング２９６は、好ましくは、蓋２９１内で真空ポート２５４を超えて下方にスライドできる寸法であり、つなぎ２９５は、キャップ２９３及び２９４が患者ポート２５５、タンデムポート２５６、オルソ（ortho）ポート２５７及びアクセサリポート２４５の各々をカバーするように位置づけられるように、異なる長さにて且つ異なる方向に外方向に延在する。１個のつなぎ２９５ａは、連結されたキャップ２９３ａが真空ポート２５４をカバーするように、後方に２倍の長さとなるように十分長い。キット２９０は、さらに、単一使用のドレイン開口ストッパ２４１と、プランジャロッド９２と、任意であるが単一使用のフラッシュ洗浄ジェットアダプタ２５２と、を含む。あるいは、蓋２９２は、オートクレーブでの使用が可能な再使用可能な材料から作られてもいてもよく、またキット２９０は代わりに真空ポート２５４に挿入可能な単一使用のポア−Ｘ（Pour-X）フィルタ２９２を含むこともできる。
XII  改変されたフラッシュ洗浄ジェットアダプタ３０１
図２２は、上述のアダプタ２５２の約２倍の長さを有する改変されたフラッシュ洗浄ジェットアダプタ３０１を示す。改変されたアダプタ３０１は、アダプタ３０１がアクセサリポート２４５に挿入される際にプランジャロッド９２の頂部と係合するように位置づけられている閉鎖された上端部３０４を有するテーパー付キャビティ３０３と連結する底部開口３０２を含む。改変されたアダプタ３０１は、フラッシュ洗浄ジェットを受け入れる中央決めされたネジ溝付入口３０５を含む。入口３０５は、縦穴３１１で終止する。縦穴３１１は、アダプタ３０１の長さのほとんどにわたって延在する細長いスプレイキャビティ３１２と連結し、スプレイキャビティ３１２の長手方向に沿って離隔している複数の出口スプレイポート３１３と連結する。複数のスプレイポート３１３によって、洗浄作用を増幅すると同時に容器２２２内での最適な位置にスプレイを向けるため、多数の流れとして、スプレイを容器２２２内に向けることができる。実験結果から、最適な洗浄作用は洗浄流体流れの１／３が容器リッジ２２６の上方に向けられ且つ流れの２／３がリッジ２２６の下方に向けられる場合に達成されることが判明している。図２２には示していないけれども、キャビティ３１２は、長さ方向に沿って直径を変えることができ、スプレイポート３１３は流体流れの所定の最適な部分が各スプレイポート３１３の外方に向けられるように、寸法を変えることができる。
XIII  改変されたキャニスタフラッシュ洗浄システム３２１及び保持タンク
図２３は、上述のキャニスタ２２１と一緒に用いるために示された改変されたキャニスタフラッシュ洗浄システム３２１を示す。フラッシュ洗浄システム３２１は、図１のシステム２とほとんど同じであり、キャビネット３２２と、給排水システム３２３（図２４）と、キーボードパネル３２５によって制御される制御システム３２４（図２５）と、を含む。
キャビネット３２２は、図１に関して上述された構成要素と同じ多くの構成要素を含む。キャビネット３２２は、背面パネル３２６と、第１の側面パネル３３１及び第２の側面パネル３３２と、頂面パネル３３３と、を含む。取り外し可能な正面アクセスパネルは図示されていないが、給排水システム３２３のドレイン部分を収容する大きな開口３３４と、制御システム３２４を収容する小さな開口３３５と、を選択的にカバーする。ヒンジ付蓋３４１は、一対のサブシンク３４３及び３４４が垂れ下がっているシンク３４２を選択的にカバーする。各サブシンク３４３及び３４４は、各ドレイントラップ３４５と連結されている。ドレイントラップ３４５は、配管Ｔ字形嵌合器具３５１を介して一緒に連結されている。ここで、システム３２１は、図１のシステムとは異なり、保持タンク３５２が第１の頂部入口３５３を有する。第１の頂部入口３５３は、サブシンク３４３及び３４４から排水されている流体が保持タンク３５２に直接排水されるように、肘部３５４を介してＴ字形嵌合器具３５１に連結されている。保持タンク３５２は、第２の頂部入口３５５を有する。第２の頂部入口３５５は、ｐＨ中和剤源３６２（図２４）からのｐＨ中和剤流体を選択的に供給するホース３６１に連結されている。保持タンク３５２は、適当な中和休止サイクルの後、保持タンク３５２からドレインパイプ３６５を介して選択的に排水できるように、遠隔制御されるドレイン出口バルブ３６４を有する底部ドレイン開口３６３を有する。
XIV  給排水システム８及び３２３
給排水システム８は、図７においてブロックダイアグラムとして示されていて、概して、供給サブシステム８ａとドレインサブシステム８ｂと、を含む。供給サブシステム８ａは、通常の市営水道サービス、水タンク又は水ポンプなど適当な加圧水源２１に連結されている水入口ライン２０を含む。ストレイナー２２は、水入口ライン２０に設けられていて、逆流防止バルブ２４がその下流に設けられている。水入口ライン２０は、第１及び第２の供給ブランチ２８ａ及び２８ｂを形成するＴ字形嵌合器具２６に連結する。
各供給サブシステムブランチ２８ａ及び２８ｂは、ライン上に、ゲートタイプ遮断バルブ３０と、ソレノイド作動バルブ３２と、を含む。各水入口ライン２０は、射出ジェット３４にて終止し、さらに、加圧された洗浄液を射出ジェット３４にポンプで汲み出すためのポンプ３９を含むことができる洗浄液源３８と連通する洗浄液射出ライン３６と連通する。
各射出ジェット３４は、上端部３４ｂ及び下端部３４ｃを有するほぼ筒状の本体３４ａを含む。ジェット通路３４ｄは、上端部３４ｂ内に中心から外れて位置づけられているネジ溝付水入口ポート３４ｅから下方に延在する。水入口ライン２０は、肘部３４ｋによって、水入口ポート３４ｅに連結されている。放出オリフィス３４ｆは、本体下端部３４ｃに位置づけられていて、さらに中心から外れている。こうして、ジェット通路３４ｄは、射出ジェット本体３４ａの長手方向軸３４ｊに関して斜めになされる。このジェット通路３４ｄの斜めにされた角度方向ゆえに、ジェット通路３４ｄからの希釈された洗浄液は、ほぼ容器側壁４ｇに向けられて、容器４ｂ内で渦流フラッシュ洗浄作用を発生させる。洗浄液入口ポート３４ｇは、本体上端部３４ｂに形成されていて、本体３４ａの内部にジェット通路３４ｄを有するＹ字形交差３４ｉを形成する洗浄液通路３４ｈと連通する。洗浄液入口ポート３４ｇは、洗浄液ライン３６に連結されている。
ジェット通路３４ｄを貫通する水の通過によって、ベンチュリ効果が生じるので、洗浄液は洗浄液通路３４ｈを貫通して吸引されて、水と組み合わされて希釈された洗浄液混合物を形成する。希釈された洗浄液混合物は、放出オリフィス３４ｆを貫通して放出される。あるいは、洗浄液は、圧力下で、ポンプ３９によって、射出ジェット３４又は２５２に汲み上げられてもよい。この場合には、水内に洗浄液を吸引するベンチュリ効果は必要ない。
任意の塊溶解液源４０は、ドレインライン１４ｏに向けられたドレインラインジェット４２と連通して、血塊を溶解するために機能する。塊溶解液源４０及びジェット４２は第２の給排水システムブランチ２８ｂ上に任意に示されているが、もちろん、第１の給排水システムブランチ２８ａ上に設けることもできるし、あるいはすべてを排除してドレインライン１４ｏ上の塊を手作業で処理することもできる。
給排水システム３２３は、図２４に示されていて、図７に関して上述された各構成要素を含む。加えて、保持タンク出口バルブ３６４及びｐＨ中和剤流体源３６２と共に保持タンク３５２が概略的に示されている。
XV  制御システム１０及び３２４
制御システム１０は、図８においてブロックダイアグラム形態で示されていて、制御マイクロプロセッサ５０を利用する。プログラムポート５２は、適当なＲＡＭデバイス５３ａを介するマイクロプロセッサ５０へのインプットアクセスを与える。ＲＯＭデバイス５４はもまた、マイクロプロセッサ５０に連結されている。
アナログ−デジタルインプット変換能力は、Ａ／Ｄコンバータ５６によって与えられる。Ａ／Ｄコンバータ５６は、エンコーダ５８に連結されていて、次いでＲＡＭデバイス５３ｂを介してマイクロプロセッサ５０に連結されている。選択キー６０もまた、エンコーダ５８へのデジタルインプットを与える。レベルプローブ６２は、溶液源３８に連結されていて、溶液源３８内のレベルをモニタリングし、増幅器６２ａを介してＲＡＭデバイス５３ｂに連結されている。
ソレノイドバルブ制御６４は、ソレノイドバルブ３２及びソレノイドバルブ３２の開位置又は閉位置を表示する一対のインジケータライト６４ｂに連結されているデジタルアウトプットモジュール６４ａを含む。デジタルアウトプットモジュール６４ａは、ＲＡＭデバイス５３ｃを介してマイクロプロセッサ５０に連結されている。
ディスプレイデバイス６６は、キャビネット頂面パネル１４ｅ上に載置されていて、ＲＡＭデバイス５３ｄ及びドライバ６６ａを介してマイクロプロセッサ５０に連結されている。ディスプレイデバイス６６は、例えば、制御システム１０４の状態又はフラッシュ洗浄サイクルを完了するまでの残り時間や遅れモード（詳細は後述する）など種々の因子を表示するためのＬＥＤ又はＬＣＤディスプレイを備えることもできる。
音声サブシステム６８は、マイクロプロセッサ５０に連結されているスピーチ合成装置６８ａと、ＲＡＭデバイス５３ｅと、スピーチＲＯＭデバイス６８ｂと、増幅器６８ｄと、スピーカ６８ｅなどの適当なアウトプットデバイスと、を含み、これらはすべて図８に示すように適当に相互連結されている。水圧センサ２０１は、マイクロプロセッサ５０に連結されていて、水圧をモニタリングして適切であることを保証する。水フローセンサ２０２及び添加剤フローセンサ２０３は、流体フローをモニタリングして、水中の添加剤（洗浄液）の濃度を算出するため、添加剤の滴下及び水のフローをモニタリング可能とする。マイクロプロセッサ５０は、よって、バルブ３２及びポンプ３９を制御して、所望の添加剤濃度を達成するようにする。マイクロプロセッサ５０による水フローのモニタリングは、政府規制に従うことを保証する。水温モニタ２０５は、マイクロプロセッサ５０が水温をモニタリングできるようにする。遠隔制御された緊急遮断２３及び２１１は、モニタリングされたパラメータが所定制限値を越えた場合に、マイクロプロセッサ５０がキャビネット６のドレイン並びにすべての流体入口を遮断することを可能とする。マイクロプロセッサ５０はさらに、所望のパラメータに対する例外を保存し保管する。遠隔モニタリング用の任意のモデム２１２を設けることもでき、システム状態の瞬時のフィードバック用に内蔵ディスプレイ６６用の緊急ページング機能を設けることもできる。
給排水システム３２４は、図２５に示されていて、図８に関して上述した各構成要素を含む。加えて、保持タンクドレイン出口バルブ３６４及びｐＨ中和剤流体源３６２から保持タンク３５２に流体をポンプで汲み上げるためのポンプ３６６が、マイクロプロセッサ５０により制御されている状態で示されている。
制御システム１０は、システム２の種々の機能を制御するための適当なアナログ構成要素、ディジタル構成要素又はアナログ／デジタル構成要素を有する種々の異なる形状であってもよいことは理解されるであろう。特に、他のインプット及びアウトプットをシステム２の種々の機能をモニタリングし及び種々の機能をより大きな程度又はより小さな程度に自動化するために設けてよい。
XVI  操作及び液体医療廃棄物処理及びキャニスタフラッシュ洗浄方法
図９は、液体医療廃棄物処置及び容器４のフラッシュ洗浄方法を示すフローチャートである。以下の記述は、図１〜図７に示されているキャニスタ及びサブシンクの実施形態に向けられているが、図１０〜図１５に示されている別の実施形態についても、工程は同様に当てはまる。
制御システム１０は、例えば、遅れすなわちドレインサイクル時間、フラッシュ洗浄サイクル時間などを含む適当な操作パラメータでマイクロプロセッサ５０をプログラムすることにより初期化される。キャビネット蓋１４ｊを開けて、シンク１４ｋにアクセスする。１個又は２個のキャニスタ４を、キャニスタ蓋４ｃ及び基部４ｆの直径の中間の直径を有する円形口１４ｍを有する各サブシンク１４１に置く。こうして、容器４をサブシンク１４１内に部分的に延在させ、容器側壁４ｇをサブシンク口１４ｍと摩擦嵌合させ、容器側壁４ｇの円周の周りに摩擦密閉を形成する。
次に、射出ジェット３４を容器蓋アクセサリポート４ｄにアクセスさせるために、キャップ１２ｆをプランジャアセンブリ１２から取り除く。このとき、射出ジェット本体下端部３４ｃは、プランジャロッド上端部１２ｅと係合する。射出ジェット本体３４ａを容器蓋アクセサリポート４ｄに押し込むことによって、プランジャストッパ１２ｄを容器基部ドレイン開口１２ａから取り外し、容器４から内容物をサブシンク１４ｌに排出させる。キャビネットサブシンクドレイン開口１４ｇは、直径Ｄ２の容器基部アクセサリポート１２ａよりも大きな直径Ｄ１を有するように寸法が決められているので、容器４からの液体医療廃棄物は、ほぼ瞬間的にサブシンク１４ｌから排出される。換言すれば、サブシンク１４ｌは、容器４よりも大きなフロー放出速度能を有し、こうして医療廃棄物がサブシンク１４ｌに逆流することを防止する。
容器蓋アクセサリポート４ｄに置かれた射出ジェット３４で、キャビネット蓋１４ｊを閉鎖してもよく、スタートボタンを押すことによって、フラッシュ洗浄サイクルを開始又は初期化することができる。キャビネット蓋１４ｊを射出ジェット３４に十分に近接して位置づけることができ、キャビネット蓋１４ｊによって、フラッシュ洗浄サイクルの間、射出ジェット３４は容器蓋アクセサリポート４ｄ内に置かれたまま保持される。フラッシュ洗浄サイクルの開始の時間遅れは、キャビネット蓋１４ｊを閉鎖してスタートボタンを作動させた後、与えられる。この遅れは、フラッシュ洗浄サイクルの開始前に、サブシンク１４ｌを介する容器４の排出をほぼ完了することができる。よって、フラッシュ洗浄サイクルは、ほぼ空の容器４内で始まる。マイクロプロセッサ５０は、キャニスタのドレイン用の時間遅れ及びフラッシュ洗浄サイクルの長さに対する時間遅れを変えるようにプログラム可能である。
一般的なガイドラインとして、約３〜４倍の容量に等しい溶液の容積で、容器４をフラッシュ洗浄することが望ましい。洗浄液混合物は、好ましくは、水及びウィルスやバクテリアに対する適当な殺菌剤を含有する。例えば、１２００〜１４００ｐｐｍの次亜塩素酸ナトリウム（漂白剤）水溶液が、一般に適切であることがわかっている。容器４から排出するために約８秒の遅れで十分であることが判明しており、約４５秒のフラッシュ洗浄サイクルが一般に十分であることが判明している。
溶液混合物は、好ましくは、廃棄物処理及びフラッシュ洗浄システムの特定の目的に合致するように選択される。例えば、滅菌及びフラッシュ洗浄が、液体医療廃棄物容器４における主目的であり、通常、無菌状態と考えられる状態まで洗浄すべきことは液体医療廃棄物キャニスタに要求されないから、ほとんどの再使用目的について、無菌状態と考えられる状態まで洗浄する必要はない。プランジャアセンブリ１２及び容器蓋４ｃは、処理されてもよく、また容器本体４ａは液体医療廃棄物で満たされた完全な容器４の処理費用を考慮して再使用されてもよい。医療機関において、蓋４ｃ及びプランジャアセンブリ１２は、「白い」ごみと一般に考えられている。なぜなら、蓋４ｃ及びプランジャアセンブリ１２上の液体医療廃棄物は比較的低濃度であり、典型的には現実の液体医療廃棄物の取り扱い及び廃棄処理に対するより厳格な要求はないからである。
システム２からのフラッシュ洗浄された液体医療廃棄物は、医療機関の給排水ドレインシステムにおける医療機関からの流出物と混合し、通常は、医療廃棄物流出物として許される最大値よりも良好に低いレベルで、市営下水道システムに排出されるであろう。
図２６は、液体医療廃棄物の処理及びキャニスタのフラッシュ洗浄の別の方法を示す。以下、図２３に示す保持タンク３５２を有する別のシステムについて説明する。図２６の方法は、最後の５工程を除いて、図９の方法とほとんど同様である。サブシンク３４３及び３４４からの洗浄流体は、保持タンク３５２に直接排出され、マイクロプロセッサ５０は、任意であるが、ｐＨ中和剤溶液の予め設定された量が保持タンク３５２に添加されるようにプログラムされている。次いで、保持タンク流体休止時間はが調節され、次いで保持タンクドレイン出口バルブ３６４が開かれて保持タンク３５２からの流出を可能とする。次いで、単一使用キットは、「白いごみ」として処分され、再使用可能なキャニスタ４、２２２などはオートクレーブ処理又は皿洗いによって再使用される。
本明細書には、本発明の特定の形態が示されているが、本発明は、記載されている特定の形態又は部品の配置に制限されるものではないことを理解されたい。
【図１】
0003929503.tif 000002
【図２】
0003929503.tif 000003
【図３】
0003929503.tif 000004
【図４】
0003929503.tif 000005
【図５】
0003929503.tif 000006
【図６】
0003929503.tif 000007
【図７】
0003929503.tif 000008
【図８】
0003929503.tif 000009
【図９】
0003929503.tif 000010
【図１０】
0003929503.tif 000011
【図１１】
0003929503.tif 000012
【図１２】
0003929503.tif 000013
【図１３】
0003929503.tif 000014
【図１４】
0003929503.tif 000015
【図１５】
0003929503.tif 000016
【図１６】
0003929503.tif 000017
【図１７】
0003929503.tif 000018
【図１８】
0003929503.tif 000019
【図１９】
0003929503.tif 000020
【図２０】
0003929503.tif 000021
【図２１】
0003929503.tif 000022
【図２２】
0003929503.tif 000023
【図２３】
0003929503.tif 000024
【図２４】
0003929503.tif 000025
【図２５】
0003929503.tif 000026
【図２６】
0003929503.tif 000027